(57)【要約】      （修正有）【課題】製造過程において、凹んで損壊しにくく、ユーザーが使用する際、ぶつけても変形しにくいトランクの枠構造を提供する。【解決手段】主に上枠２０及び下枠３０で構成するトランクである。該上枠のプレート２１，３１は細いリブ２２，３５を具有するほか、内側及び外側に補強シート３２を設置し、該内外補強シートの間に溝２５を形成し、該溝の中に軟質のゴムを挿入する。該下枠のプレートは細いリブを具有するほか、上端縁に補強シート及び凸棒３３を設置し、中央部分にはＵ字形の補強棒３４を設ける。前記構造により、強度が増すほか、製造過程の湾曲成形時に凹んで損壊しにくく、ユーザーが使用する際、ぶつけても変形しにくい。【選択図】図４
0003166866.tif 000002
【実用新案登録請求の範囲】
【請求項１】
上枠、下枠を含み、
該上枠のプレートの上端縁に細いリブを具有し、下端の内側外側に補強シートを設置し、内外の補強シートにより上枠の強度を増し、
該下枠のプレートの下端縁に細いリブを具有し、上端の縁に補強シートを設置し、補強シートの上に凸棒を設け、また、下枠のプレートの中にＵ字形の補強棒を設置し、該補強シート、凸棒、Ｕ字形補強シートにより、下枠の強度を増すことを特徴とするトランクの枠構造。
【請求項２】
前記上枠のプレート下端に設ける内外補強シートの間に溝を形成し、該溝の中に軟質のゴムを挿入し、
前記下枠のプレートの上端に補強シートを設け、該補強シートの上に凸棒を設け、
該上下枠を蓋合する際、下枠の補強シートの凸棒が該上枠にある溝のゴムと抵触し、防水効果を具有することを特徴とする請求項１記載のトランクの枠構造。
【考案の詳細な説明】
【技術分野】
【０００１】
本考案はトランクの枠構造に関し、特にトランクの枠の強度を増加し、製造過程において、凹んで損壊しにくく、ユーザーが使用する際、ぶつけても変形しにくいトランクの枠構造に関する。
【背景技術】
【０００２】
従来技術のトランクの枠構造は、およそ図１、図２及び図３に示すように、二つの本体１６を蓋合するものであり、該蓋合する縁に上枠１０、下枠１３を設け、該上下枠１０、１３をプレート状１１、１４にし、該上下枠１０、１３のプレート１１、１４の上下縁に細いリブ１２、１５を設ける。該細いリブ１２、１５により、プレート１１、１４の強度を増し、凹んで変形しにくい。
【０００３】
従来技術には下記の欠点が存在する：(１)本体１６が地面に落ちて(ぶつけて)、或いはその他の物品とぶつかったとき、上下枠１０、１３のプレート１１、１４及び該細いリブ１２、１５はほぼ「平面」を呈すため、強度が比較的悪く、ぶつかった力がそのまま本体１６に当たり、損壊する憂いがある。つまり、該上下枠１０、１３はぶつけられた力を吸収することができない。（２）、製造時、方形に湾曲する必要があり、該強度が弱いと、湾曲する過程で凹んで損壊する問題があり、不良品率が高くなる。(３)、上下枠１０、１３の間には防水構造がないため、蓋合する際、尚も水が浸入する問題があるなどを鑑みて、更なる改善が必要であった。
【先行技術文献】
【特許文献】
【０００４】
【特許文献１】登録実用新案第３１１２６０９号公報
【考案の概要】
【考案が解決しようとする課題】
【０００５】
前記公知構造の欠点を解決するため、本考案の第１の目的は、製造過程において、凹んで損壊しにくく、ユーザーが使用する際、ぶつけても変形しにくいトランクの枠構造を提供することにある。
本考案の第２の目的は、トランクを蓋合している際に、防水効果を具有するトランクの枠構造を提供することにある。
【課題を解決するための手段】
【０００６】
前記課題を解決するために、本考案はトランクの枠構造を提供するものである。該トランクの上枠に細いリブを具有し、且つ内側及び外側に補強シートを設置することで、強度を増す。また、下枠は細いリブを具有するほか、補強シート、凸棒、Ｕ字形補強棒を設置し、強度を増す。よって、製造過程において、凹んで損壊しにくく、ユーザーが使用する際、ぶつけても変形しにくい。
本考案のトランクの上枠の内外補強シートが形成する溝の中にゴムを設置することで、上下枠を蓋合する際、防水効果を具有する。
【０００７】
本考案は下記の特徴を有する。
（１）上枠、下枠を含み、
該上枠のプレートの上端縁に細いリブを具有し、下端の内側外側に補強シートを設置し、内外の補強シートにより上枠の強度を増し、
該下枠のプレートの下端縁に細いリブを具有し、上端の縁に補強シートを設置し、補強シートの上に凸棒を設け、また、下枠のプレートの中にＵ字形の補強棒を設置し、該補強シート、凸棒、Ｕ字形補強シートにより、下枠の強度を増すことを特徴とするトランクの枠構造。
（２）前記上枠のプレート下端に設ける内外補強シートの間に溝を形成し、該溝の中に軟質のゴムを挿入し、
前記下枠のプレートの上端に補強シートを設け、該補強シートの上に凸棒を設け、
該上下枠を蓋合する際、下枠の補強シートの凸棒が該上枠にある溝のゴムと抵触し、防水効果を具有することを特徴とする（１）記載のトランクの枠構造。
【考案の効果】
【０００８】
本考案はトランクの上下枠に細いリブ及び補強シートを設置することで、強度が増し、製造時及び使用時にぶつけても変形しにくい。また、上枠の内外補強シートが形成する溝の中にゴムを挿入し、下枠に凸棒を設置し、蓋合する際、該下枠の凸棒が上枠にあるゴムと抵触するため、防水効果を具有する。
【図面の簡単な説明】
【０００９】
【図１】従来技術の局部立体図である。
【図２】従来技術の本体を開けた状態の断面図である。
【図３】従来技術の本体を閉じた状態の断面図である。
【図４】本考案の局部立体図である。
【図５】本考案の本体を開けた状態の断面図である。
【図６】本考案の本体を閉じた状態の断面図である。
【考案を実施するための形態】
【００１０】
図４、図５及び図６に示すように、本考案は上下で蓋合できる本体１６であり、上枠２０及び下枠３０を具有する。上枠２０のプレート２１の上端縁に細いリブ２２を具有し、下端の外側及び内側に補強シート２３、２４を設け、該内外補強シート２３、２４の間に溝２５を形成し、該溝２５の中に軟質のゴム２６を挿入する。下枠３０のプレート３１の下端に細いリブ３５を具有し、上端縁に補強シート３２を設け、該補強シート３２の上に凸棒３３を設ける。また、下枠３０のプレート３１の中に、Ｕ字形の補強棒３４を設置する。
【産業上の利用可能性】
【００１１】
本考案のメリットは下記の３点である。
（１）、上枠２０のプレート２１に細いリブ２２、内外補強シート２３、２４を設置することで、強度を増す効果がある。よって、製造過程において、湾曲して成形する際、凹んで損壊しにくく、ユーザーが使用する際、ぶつけても湾曲して変形しにくい。
（２）、下枠３０のプレート３１に細いリブ３５、補強シート３２、凸棒３３、Ｕ字形補強棒３４を設置することで、強度を増す効果がある。よって、製造過程において、湾曲して成形する際、凹んで損壊しにくく、ユーザーが使用する際、ぶつけても湾曲して変形しにくい。
（３）、図６に示すように、上枠２０、下枠３０を蓋合する際、下枠３０の補強シート３２の凸棒３３は、上枠２０内の内外補強シート２３、２４が形成する溝２５の中に挿入したゴム２６と抵触するため、水が浸水するのを防ぐ効果がある。
【符号の説明】
【００１２】
１０、２０  上枠
１１、１４、２１、３１  プレート
１２、１５、２２、３５  細いリブ
１３、３０  下枠
１６  本体
１１０  底部凸棒
２３  外側補強シート
２４  内側補強シート
２５  溝
２６  ゴム
３２  補強シート
３３  凸棒
３４  補強棒
【図１】
0003166866.tif 000003
【図２】
0003166866.tif 000004
【図３】
0003166866.tif 000005
【図４】
0003166866.tif 000006
【図５】
0003166866.tif 000007
【図６】
0003166866.tif 000008